(57)【要約】【課題】被検体が腹這いに寝た場合に腹部の圧迫を軽減する、医用画像を生成する医用画像診断機器（Ｘ線ＣＴ装置、ＭＲＩ装置等）での撮像時の被検体を載置する際に被検体の下に敷く医用画像診断機器用マットを提供する。【解決手段】医用画像撮像時に被検体を載置するための医用画像診断機器用マット１００であって、前記被検体が載置される側の面が所定の厚みを有する平坦な板状の状態と前記所定の厚みを有し一部が凹んだ板状の状態とに切り替え可能な構成にされている。【選択図】図１
2010094495.tif 000002
【特許請求の範囲】
【請求項１】
医用画像撮像時に被検体を載置するための医用画像診断機器用マットであって、
前記被検体が載置される側の面が所定の厚みを有する平坦な板状の状態と前記所定の厚みを有し一部が凹んだ板状の状態と、に切り替え可能な構成にされていることを特徴とする医用画像診断機器用マット。
【請求項２】
前記所定の厚みとほぼ同じ厚みであり前記凹んだ部分に嵌合する取り外し可能な脱着部材を有し、該脱着部材を取り外すことで前記一部が凹んだ板状に変化することを特徴とする請求項１に記載の医用画像診断機器用マット。
【請求項３】
前記脱着部材は前記マットの長手方向に分割された複数部材に分かれており、前記複数部材が個々に取り外し可能であることを特徴とする請求項２に記載の医用画像診断機器用マット。
【請求項４】
前記脱着部材は略直方体の形状を有しており、前記脱着部材は前記マットの短手方向に水平移動させることで取り外し可能であることを特徴とする請求項２又は請求項３に記載の医用画像診断機器用マット。
【請求項５】
前記凹んだ部分の前記脱着部材と接する面のうち少なくとも前記凹みの底面が、前記脱着部材の表面の材料とは異なる粗さを有する材料で構成されていることを特徴とする請求項４に記載の医用画像診断機器用マット。
【請求項６】
前記脱着部材の前記短手方向の長さが、前記マットの前記脱着部材以外の部分の短手方向の長さと異なる長さを有することを特徴とする請求項４又は請求項５に記載の医用画像診断機器用マット。
【請求項７】
前記凹んだ部分は上部から見ると円形であり、該凹んだ部分に嵌合する前記脱着部材は略円柱状であることを特徴とする請求項２に記載の医用画像診断機器用マット。
【請求項８】
前記脱着部材は同心円の複数の環状部材に分かれており、前記複数部材が個々に取り外し可能であることを特徴とする請求項７に記載の医用画像診断機器用マット。
【請求項９】
前記一部は前記マットの他の部分と区切られており、前記平坦な板状の状態から前記一部における空気を排出することにより前記一部が凹んだ板状の状態に切り替わり、前記一部が凹んだ板状の状態から前記凹んだ部分に空気が注入されることにより前記平坦な板状の状態に切り替わることを特徴とする請求項１に記載の医用画像診断機器用マット。
【請求項１０】
前記凹みは前記マットの長手方向の中央付近に配置されていることを特徴とする請求項１乃至請求項９のいずれか一つに記載の医用画像診断機器用マット。
【請求項１１】
前記凹みは前記マットの長手方向の長さが２０ｃｍ以上５０ｃｍ以下であることを特徴とする請求項１乃至請求項１０のいずれか一つに記載の医用画像診断機器用マット。
【請求項１２】
前記凹みは深さ１ｃｍ以上であることを特徴とする請求項１乃至請求項１１のいずれか一つに記載の医用画像診断機器用マット。
【請求項１３】
前記凹みは前記マットの短手方向の長さが２０ｃｍ以上であることを特徴とする請求項１乃至請求項１２のいずれか一つに記載の医用画像診断機器用マット。
【請求項１４】
医用画像撮像時に被検体を載置するための医用画像診断機器用寝台であって、
天板と、
前記天板を支える脚部材と、
前記天板の上に配置され被検体が載置されるマット部材と、を備え、
前記マット部材は、前記被検体が載置される側の面が所定の厚みを有する平坦な板状の状態と前記所定の厚みを有し一部が凹んだ板状の状態と、に切り替え可能な構成にされている、
ことを特徴とする医用画像診断機器用寝台。
【発明の詳細な説明】
【技術分野】
【０００１】
本発明は、医用画像を生成する医用画像診断機器（Ｘ線ＣＴ装置、ＭＲＩ装置等）において、撮像時の被検体を載置する際に被検体の下に敷くマット及び前記マットが付属した寝台に関する。
【背景技術】
【０００２】
従来、大腸の検査は内視鏡により体内へ直接浸食し観察することが主として行われてきた。また、他の検査方法としてバリウムや空気を大腸に注入し消化管粘膜の病変をＸ線画像として撮像する注腸造影検査が行われている。
【０００３】
さらに、近年、Ｘ線ＣＴ装置において被検体の対軸方向に複数枚のＸ線断層画像を一度に生成するＭＳＣＴ（Ｍｕｌｔｉ  Ｓｌｉｃｅ  ＣＴ）という技術が提供されている。このＭＳＣＴの普及により、Ｘ線ＣＴ装置を用いて大腸検査を行えるようになってきた。このＸ線ＣＴ装置を用いたＭＳＣＴによる大腸検査は、大腸に空気を注入し大腸を膨らませてＸ線断層画像を生成し、そのＸ線断層画像を基に３次元画像を生成する。そして、生成した３次元画像を基に元のデータを再構成などすることで、仮想内視鏡として大腸を中から見た視点で大腸内の凹凸を観察し、診察を行うことができる技術（例えば、特許文献１参照。）が提案されている。この様な仮想内視鏡では様々な角度から大腸などを観察することが可能となる。これに対し、実際の内視鏡では、大腸ポリープを必ずしも希望の角度から観察することが可能な訳ではないため、仮想内視鏡を用いた診断を行うことで正確な診断が可能となる場合がある。
【０００４】
以上では、Ｘ線ＣＴ装置を例に説明したが、ＭＲＩ装置など他の医用画像診断機器においても仮想内視鏡による画像表示は行うことが可能となっている。
【先行技術文献】
【特許文献】
【０００５】
【特許文献１】特開平８−０１６８１３号公報
【発明の概要】
【発明が解決しようとする課題】
【０００６】
ここで、Ｘ線ＣＴ装置を用いたＭＳＣＴにより所見を見逃すことなく大腸検査を行うためには、大腸内部に残っている残渣を移動させて大腸の壁のすべての面の凹凸を表示させる必要がある。このため、Ｘ線ＣＴ装置で大腸検査を行う場合には、被検体を仰向けにした撮像と、腹這いにした撮像とを行う必要がある。しかし、通常腹這いの姿勢では被検体自身の体重による腹部の圧迫が生じてしまう。そのため、被検体を腹這いにして撮像をする場合、腹部が圧迫され腹の中央部分にある大腸から空気が逃げてしまい、大腸がつぶれた状態になってしまう。具体的には、横行結腸に空気が留まらなくなってしまう。これは特に太った被検体において顕著になる。このため、横行結腸等が画像上つぶれてしまい、そのつぶれた横行結腸等の部分を３次元画像として表すことができなくなってしまう。そのため、大腸の中で観察ができない部分が生じてしまい、正確な診断を行うことが困難になってしまう。
【０００７】
そして、被検体を腹這いにした場合に腹部が圧迫され大腸が変形してしまうことは、ＭＲＩ装置などの他の医用画像診断機器においても同様であり、大腸などのつぶれていない状態での医用画像を生成することは困難である。このため、他の医用画像診断機器でも同様に正確な診断を行うことが困難になってしまう。
【０００８】
この発明は、このような事情に鑑みてなされたもので、被検体が腹這いに寝た場合に腹部の圧迫を軽減する医用画像診断機器用マット及び医用画像診断機器用寝台を提供することを目的としている。
【課題を解決するための手段】
【０００９】
上記目的を達成するために、請求項１に記載の医用画像診断機器用マットは、医用画像撮像時に被検体を載置するための医用画像診断機器用マットであって、前記被検体が載置される側の面が所定の厚みを有する平坦な板状の状態と一部が凹んだ前記所定の厚みを有する板状の状態とに切り替え可能な構成にされていることを特徴とするものである。
【００１０】
請求項１４に記載の医用画像診断機器用寝台は、医用画像撮像時に被検体を載置するための医用画像診断機器用寝台であって、天板と、前記天板を支える脚部材と、前記天板の上に配置され被検体が載置されるマット部材と、を備え、前記マット部材は、前記被検体が載置される側の面が所定の厚みを有する平坦な板状の状態と前記所定の厚みを有し一部が凹んだ板状の状態とに切り替え可能な構成にされている、ことを特徴とするものである。
【発明の効果】
【００１１】
本発明に係る医用画像診断機器用マット及び医用画像診断機器用寝台は、被検体を載置するためのマットの一部が凹んだ板状の状態に切り替えることが可能な構成である。これにより、腹這いになった被検体の腹部を凹んだ部分に配置することで被検体の自重による腹部の圧迫を軽減することができ、腹這いの状態においても大腸などをつぶさずに撮像を行うことが可能となる。したがって、本発明に係る医用画像診断機器用マット及び医用画像診断機器用寝台は、医用画像診断機器を用いた大腸などの効果的な診断に寄与することができる。
【図面の簡単な説明】
【００１２】
【図１】第１の実施形態に係る医用画像診断機器用マットを含む医用画像診断機器用寝台の斜視図
【図２】第１の実施形態に係る医用画像診断機器用マットの平面図
【図３】（Ａ）第１の実施形態に係る医用画像診断機器用マットの脱着部材を付けたまま被検体を仰向けに載置した状態での側面図、（Ｂ）第１の実施形態に係る医用画像診断機器用マットの脱着部材を外し被検体を腹這いに載置した状態での側面図
【図４】変形例１に係る医用画像診断機器用マットを含む医用画像診断機器用寝台の斜視図
【図５】（Ａ）変形例２に係る医用画像診断機器用マットの平面図、（Ｂ）変形例３に係る医用画像診断機器用マットの平面図
【図６】第２の実施形態に係る医用画像診断機器用マットを含む医用画像診断機器用寝台の斜視図
【図７】第３の実施形態に係る医用画像診断機器用マットを天板に配置し脱着部材を取り外した状態の斜視図
【発明を実施するための形態】
【００１３】
〔第１の実施形態〕
以下、この発明の第１の実施形態に係る医用画像診断機器用マットについて図１〜図３を参照して説明する。図１は本実施形態に係る医用画像診断機器用マットを天板上に載せた状態の斜視図である。図２は本実施形態に係る医用画像診断機器用マットの平面図である。図３は本実施形態に係る医用画像診断機器用マットの側面図である。図３（Ａ）は凹んだ部分に脱着部材を嵌合させ平坦な板状の状態にした医用画像診断機器用マットの上に被検体を仰向けに載置した状態の図である。また、図３（Ｂ）は脱着部材を取り外し一部が凹んだ板状の状態の医用画像診断機器用マットの上に被検体を腹這いに載置した状態の図である。
【００１４】
図１に示すように本実施形態に係る医用画像診断機器用マット１００（以下では、単に「マット１００」と呼ぶ。）は、天板０１１の上に配置される。本実施形態では天板０１１はカーボンで構成されている。そして、天板０１１は脚部材０１２によって床から所定の高さの位置に支持されている。この、マット１００、天板０１１、及び脚部材０１２から構成される寝台０１０が本発明の医用画像診断機器用寝台にあたる。この場合、マット１００が本発明における「マット部材」にあたる。本実施形態ではマット１００は、天板０１１にマジックテープ（登録商標）で固定されている。ここで、本実施形態では、製造のし易さ及び取り外しの容易さを考慮してマジックテープ（登録商標）を用いてマット１００を天板０１１に固定したが、この固定方法は他の方法でもよく、例えばホックなどを用いて固定してもよい。さらに、天板０１１にマット１００を固定して取り外しできないような構成にしてもよい。
【００１５】
本実施形態のマット１００は、図２に示すように長手方向の長さ２００ｃｍ、短手方向の長さ６０ｃｍである。また、図３に示すようにマット１００の厚みは２０ｃｍである。ここで、マット１００の厚みは後述する凹部１０２を形成できる深さが必要であり、形成する凹部１０２の深さによって決定することが好ましい。さらに、マット１００は、図１、図２、及び図３に示すように、脱着部材１０１を有している。マット１００は、内部がスポンジで構成されており、周りが塩化ビニルで覆われている。ここで、マット１００の材質は、そのマット１００を使用する医用画像診断機器において画像形成に影響しない材質であればよく、具体的には、Ｘ線ＣＴで使用するものの場合にはＸ線による撮像に写らない材質、ＭＲＩ装置で使用するものの場合には磁器に影響しない材質のものであればよい。例えばマット１００の材質の他の例としては内部を発泡スチロールなどにしてもよい。また、本実施形態では、脱着部材１０１もマット１００の他の部分と同じ材質で構成されているが、前述のように使用する医用画像診断機器において画像形成に影響しない材質であれば脱着部材１０１とマット１００とを異なる材質にしてもよい。マット１００は、脱着部材１０１を取り外した場合、図３（Ｂ）に示すように一部が凹んだ板状の状態となる。以下では、図３に示すようにすべての脱着部材１０１をマット１００から取り除いたときにマット１００の凹んだ部分を凹部１０２という。また、複数部材に分かれている脱着部材１０１の一部をマット１００から取り除いてできたマット１００の凹みを「凹み部分」という。
【００１６】
凹部１０２は、マット１００の長手方向に約３０ｃｍの長さが凹んでおり、マット１００の短手方向にはマット１００の全面が凹んでいる。そして、凹部１０２は、図３（Ａ）に示すように深さ方向に１０ｃｍ凹んでいる。本実施形態では、凹部１０２はマット１００の長手方向の中心に配置されている。ただし、この凹部１０２は、被検体をマット１００に一般的な状態で載置したときに被検体の腹部があたる位置に配置されていればよい。そして、被検体は一般的には中央付近に配置されるため、マット１００の中央付近に凹部１０２が配置されていればよい。ここで、具体的には中央付近とは被検体の腹部を凹部１０２に充てたときにマット１００の長手方向の端から被検体の足や上半身がはみ出さない範囲で、かつマット１００の短手方向の端から被検体の腹部がはみ出さない程度はなれた範囲を指す。ただし、後述するように凹部１０２のマット１００の短手方向の長さを制限する必要は少ないため、凹部１０２の最低限の長さが上述の範囲に位置していれば凹部１０２の他の部分が上述の範囲を超えていてもよい。
【００１７】
ここで、凹部１０２のマット１００の長手方向の長さは、腹部の大きな人（例えば、太っている人）の腹部が収まる以上の大きさがあればよい。また大腸などが収まっている以外の部分が凹部１０２に入り込んで腹部が凹部１０２の底面に強く接触し圧迫された場合意味がない。そこで、腹部が凹部１０２に落ち込んで底面に強く接触してしまわない大きさ以下である必要がある。そして、腹部のスキャンの範囲は通常４０ｃｍであるため、凹部１０２の長手方向の長さは余裕をみて５０ｃｍの長さがあれば十分であると考えられる。これは、スキャン範囲ぎりぎりで段差を作った場合、画像に悪影響を与える危険性があるため１０ｃｍの余裕をとったものである。また経験的に２０ｃｍ以上の長さがあれば腹部はその中に収まると考えられる（例えば、身長が１８０ｃｍとした場合、２０ｃｍはその６分の１であり、体の６分の１あれば腹部は収まると考えられる。）。このため、凹部１０２のマット１００の長手方向の長さは２０ｃｍ以上５０ｃｍ以下であることが好ましい。
【００１８】
また、凹部１０２のマット１００の短手方向の長さは、腹部の大きな人の腹部が収まる以上の大きさがあればよい。そして、経験的に２０ｃｍ以上あれば腹部はその中に収まると考えられる（人の横幅は最大で３５ｃｍ程度なので、２０ｃｍはその７分の４（６０％近く）であり、腹部は十分に収まると考えられる。）。このため、凹部１０２のマット１００の短手方向の長さは２０ｃｍ以上であることが好ましい。
【００１９】
さらに、凹部１０２の深さは、腹部の大きな人の腹部が収まる以上の深さがあればよい。そして、マット１００の材質が固い場合には経験的に１ｃｍ以上あれば腹部は凹部１０２の中に収まると考えられる。このため、凹部１０２の深さは１ｃｍ以上である必要がある。この点、マット１００の材質によっては体が沈み腹部が凹部１０２の底面に強く接触することが考えられる。そのため、マット１００の材質如何では凹部１０２の深さを５ｃｍ以上にとることも考えられる。そこで、凹部１０２の深さは５ｃｍ以上であることがより好ましい。
【００２０】
脱着部材１０１は、図１及び図２に示すようにマット１００は３つの部材で構成されている。本実施形態では脱着部材１０１を構成する該３つの各部材は同一形状を有している。脱着部材１０１は凹部１０２に嵌合する。そして、脱着部材１０１を凹部１０２に嵌合させた場合に、マット１００の被検体を載置させる側の面の凹部１０２及び脱着部材１０１以外の部分と、脱着部材１０１の被検体を載置させる側の面とは図３（Ａ）に示すように平坦な面を構成し、マット１００は平坦な板状の状態になる。すなわち、脱着部材１０１の高さは凹部１０２の深さとほぼ同じ長さを有している。本実施形態では脱着部材１０１の高さは１０ｃｍである。脱着部材１０１は、図１及び図２に示すようにマット１００の短手方向の辺とほぼ同じ長さ、すなわち本実施形態では約６０ｃｍの長さを有している。また、脱着部材１０１を構成する３つの各部材は、マット１００の短手方向に１０ｃｍの長さを有している。したがって、脱着部材１０１を構成する３つの各部材は各辺の長さが６０ｃｍ、１０ｃｍ、１０ｃｍの直方体である。脱着部材１０１を構成する３つの各部材ともに中身がスポンジで周りが塩化ビニルで覆われた構成になっている。さらに、脱着部材１０１を構成する３つの各部材の底面、すなわち被検体を載置される側の面と反対側の面にはマジックテープ（登録商標）が付いている。そして、凹部１０２の脱着部材１０１のマジックテープ（登録商標）と対応する位置にマジックテープ（登録商標）が配置されている。このマジックテープ（登録商標）により、脱着部材１０１は凹部１０２に固定される。この固定方法は他の方法でもよく、また脱着部材１０１を凹部１０２に固定することなく使用することも可能である。
【００２１】
本実施形態の脱着部材１０１は、マット１００の短手方向に取手１０３が取り付けてある。そして、本実施形態の凹部１０２はマット１００の短手方向の全面が凹んでいるため、脱着部材１０１は取手１０３をマット１００の短手方向に引くことによりマット１００の凹部１０２から引き抜くことができる。これにより、被検体の体を持ち上げることなく脱着部材１０１を引き抜いて凹部１０２を形成することができ、被検体の負荷を軽減することができる。
【００２２】
また、脱着部材１０１を構成する３つの各部材はそれぞれ別個に取り外すことが可能である。そして、脱着部材１０１を構成する３つの各部材の一部を取り外すことにより、マット１００の凹み部分のマット１００の長手方向の長さを変えることが可能となる。例えば、図３（Ａ）における脱着部材１０１の右から２つの部材を抜くことでマット１００の長手方向に２０ｃｍの凹み部分を形成することができる。これにより、被検体の腹の大きさに合わせた凹みを形成することができる。ここで、本実施形態では脱着部材１０１が３つの部材から構成されているが、脱着部材１０１を構成する部材を細かく分けることでより被検体の腹の大きさに適した凹み部分を形成することが可能な脱着部材１０１とすることができる。
【００２３】
また、本実施形態では、凹部１０２の底面を平面として構成しているが、これは被検体の腹部が収まれば他の形状でもよい。たとえば、凹部１０２の底面のマットの長手方向の断面がすり鉢状のカーブを描くように構成してもよい。底面がカーブを描くように凹部１０２を構成した場合、完全に腹部が底面に接しない状態にしなくてもよく、腹部と適度に接することで腸などを変形させずに腹部を支えることが可能となる。
【００２４】
（変形例１）
次に、本実施形態に係る医用画像診断機器用マットの第１の変形例について説明する。変形例１は、図４に示すように、凹部１０２がマット１００の裏側（すなわち、被検体を載置する側の面と反対側の面）まで貫通している構成である。図４は変形例１に係る医用画像診断機器用マット及び寝台の斜視図である。すなわち、前述した本実施形態に係る医用画像診断機器用マットでは、いかなる天板０１１にも配置でき、脱着部材１０１を外したときにマット１００がずれないように、図３（Ｂ）に示すように凹部１０２がマット１００を貫通しないように構成している。これに対し、マット１００が天板０１１と一体になっている場合や、天板０１１にマット１００がマジックテープ（登録商標）などで固定されている場合には、図４のように天板０１１まで凹部１０２が貫通していてもマット１００の位置ずれが発生することはない。そこで、変形例１に係る医用画像診断機器用マットは凹部１０２をマット１００を貫通するようにし、マット１００自体が分離した構成になっている。これにより、凹部１０２を考慮して凹みを有するマット１００を製造する必要がなくなり、マット１００の製造を様にすることが可能となる。
【００２５】
（変形例２）
次に、本実施形態に係る医用画像診断機器用マットの第２の変形例について説明する。変形例２は、図５（Ａ）に示すように、凹部１０２がマット１００の短手方向の端まで届いていない構成である。図５（Ａ）は変形例２に係る医用画像診断機器用マットの平面図である。ただし、図５は凹部１０２に脱着部材１０１を嵌め込んだ状態であるので、凹部１０２は直截には表現されていない。すなわち、前述した本実施形態に係る医用画像診断機器用マットでは、マット１００の短手方向のどの位置でも被検体を載置して撮像できるように脱着部材１０１の短手方向の長さをマット１００の全面（すなわち、マット１００の短手方向の端から端まで）としている。しかし、一般的には撮像時には被検体はマット１００の短手方向の略中心部におかれる。そこで、変形例２に係る医用画像診断機器用マットは、脱着部材１０１の短手方向をマット１００の両端から一定の距離離した場所に配置した構成である。これにより、脱着部材１０１の大きさが小さくなるので取り回しがよくなり、脱着部材１０１を脱着する操作者にたいする負担を軽減することが可能となる。
【００２６】
（変形例３）
次に、本実施形態に係る医用画像診断機器用マットの第３の変形例について説明する。変形例３は、図５（Ｂ）に示すように、凹部１０２の上面（すなわち被検体を載置する側の上方向）から見た形状が円形の構成としたものである。ただし、図５は凹部１０２に脱着部材１０１を嵌め込んだ状態であるので、凹部１０２は直截には表現されていない。図５（Ｂ）は変形例３に係る医用画像診断機器用マットの平面図である。すなわち、前述した本実施形態に係る医用画像診断機器用マット、並びに、変形例１及び変形例２の医用画像診断機器用マットでは、凹部１０２が角型（すなわち、上面から見たときに正方形もしくは長方形）の形をしている。これに対し、変形例３に係るマット１００は上面から見た場合に円形の凹部１０２を有しており、さらにそれに嵌合する円環状及び円柱状の複数部材（以下では、まとめて「環状部材」と呼ぶ。）に分かれた脱着部材１０１を有している。この脱着部材１０１はそれぞれの環状部材を別個に取り外すことができる。これにより、さまざまな大きさの腹部の被検体に対応することが可能となる。また、変形例３に係る医用画像診断機器用マットは、凹部１０２が円形であり腹部にあった形状となり、被検体の腹部以外の部分を適度に支持するため被検体の負担を軽減することが可能となる。
【００２７】
以上で説明したように本実施形態に係る医用画像診断機器用マットにおいては、被検体を腹這いに寝かせた状態のときにマットの凹んだ部分に腹部が収まる構成になっている。これにより、被検体を腹這いに寝かせた状態で腹部の医用画像の撮像を行った場合に、大腸などが圧迫されることなく、大腸の全体に空気がいきわたった状態の医用画像を生成でき、圧迫されていない状態の大腸の３次元画像を構成することが可能となる。これにより、仮想内視鏡の画像を用いた診断を効果的に行うことが可能となる。
【００２８】
また、以上に説明した例では寝台０１０の被検体を載置する方向（言い換えれば、床面と水平な方向）の凹みの大きさを調整できる構成を説明したが、さらに凹みの深さ（言い換えれば、床面に鉛直な方向の大きさ）を調整できるように構成してもよい。
【００２９】
この構成の一例としては、例えば図１に示す脱着部材１０１をそれぞれ深さ方向に分割した直方体として構成する。そして、深さ方向の脱着部材１０１を所望の本数抜くことで深さを調整できる構成とする。深さ方向の脱着部材１０１を多く引き抜けばより深い凹みを形成することができる。ここでは、図１の例で説明したが、他の構成（例えば、変形例１〜３のような構成）でも同様に深さ方向に分割した脱着部材１０１を用いることで凹みの深さ方向への大きさの変更が可能な医用画像診断機器用マットを製造することができる。
【００３０】
このように構成することで、被検体を載置する方向だけでなく深さ方向にも凹みの大きさを調整できるようになり、さまざまな大きさの腹部の被検体により適切に対応することが可能となる。
【００３１】
〔第２の実施形態〕
以下、この発明の第２の実施形態に係る医用画像診断機器用マットについて図６を参照して説明する。図６は本実施形態に係る医用画像診断機器用マットを天板に配置した状態の斜視図である。本実施形態に係る医用画像診断機器用マットは、第１の実施形態に係る医用画像診断機器用マットにおいて脱着部材を取り外すことで凹みを形成していたものを、空気を抜くことで凹みを形成する構成に変えたものである。そこで、以下では凹み部分の構成を主に説明する。以下の説明では図１と同一の符号の部材は特に説明のない限り同一の構成を有するものとする。
【００３２】
図６に示すように、本実施形態に係る医用画像診断機器用マット１００（以下では、単に「マット１００」と呼ぶ。）は、腹部配置部２００を有する。腹部配置部２００には空気の吸排気管２０１が接続されている。本実施形態に係る腹部配置部２００のサイズも第１の実施形態における凹部１０２のサイズと同様である。
【００３３】
腹部配置部２００は中が空洞であり周りは塩化ビニルで構成されている。そして腹部配置部２００は中の空気が吸排気管２０１以外には漏れないように塩化ビニルで密閉されている。腹部配置部２００は、空気が注入されるとふくらみ、腹部配置部２００の被検体と接する側の表面とマット１００の他の部分の被検体と接する側の表面とが平坦な面を形成する。これにより、マット１００は平坦な板状の状態に変化する。また、腹部配置部２００は、空気が排出されると凹む。これにより、マット１００は一部が凹んだ板状の状態に変化する。この空気が抜かれた状態の腹部配置部２００の部分が本発明における「凹んだ部分」にあたる。
【００３４】
マット１００に充てんされている空気の排気は外部から吸い出してもよいし、被検体の重さがかかることにより腹部配置部２００が押圧され中の空気が排気される構成でもよい。被検体の重さによって腹部配置部２００の中の空気が排気される構成の場合、弁などを設けて被検体の重さによる圧力が一定の圧力を下回った場合排気が停止する構成にすることにより、被検体の腹部を適度な圧力で支持することが可能となり、被検体の負担を軽減することが可能となる。
【００３５】
吸排気管２０１はポンプなど（不図示）に接続されている。ポンプから送られた空気は吸排気管２０１を通って腹部配置部２００に充てんされる。また、腹部配置部２００に充てんされている空気は吸排気管２０１を通って外に排出される。
【００３６】
以上で説明したように、本実施形態に係る医用画像診断機器用マットは、腹部配置部に空気を注入することで平坦な板状の状態になり、腹部配置部から空気を排気することで一部が凹んだ板状の状態になる構成である。この様に、空気の出し入れにより形状を切り替えることができるため、形状の切り替えが容易であり、また被検体を移動させることなく形状の切り替えができ、被検体の負担を軽減することが可能となる。
【００３７】
さらに、空気の排気量及び注入量により凹み部分のサイズを連続的に変化させることができるため、様々な体型を有する被検体に対してより適切なサイズの凹みを提供することが可能となる。
【００３８】
また、本実施形態では、腹部配置部２００に空気を吸排気することで、マット１００の一部を凹ませたり、マット１００が平坦な状態になるようにしたりしているが、これは腹部配置部２００に当たる部分が凹んだ状態になるように吸排気する構成であれば他の構成でもよい。
【００３９】
例えば、以下のような構成でもよい。マット１００の腹部配置部２００以外の部分を中が空洞であり周りが塩化ビニルで構成し、さらにこのマット１００の腹部配置部２００以外の部分に空気を吸排気できるように構成する。また、腹部配置部２００は固定された形状を有するように構成する。そして、マット１００の腹部配置部２００以外の部分に空気を注入したときに、その部分の天板０１１からの高さが、腹部配置部２００の天板０１１からの高さよりも高くなるように構成する。
【００４０】
このようにマット１００の腹部配置部２００以外の部分が高くなるように構成することで、マット１００の腹部配置部２００の部分が凹んだ状態にすることができる。
【００４１】
［第３の実施の形態］
以下、この発明の第３の実施形態に係る医用画像診断機器用マットについて図７を参照して説明する。図７は本実施形態に係る医用画像診断機器用マットを天板に配置し脱着部材を取り外した状態の斜視図である。本実施形態に係る医用画像診断機器用マットは、第１の実施形態に係る医用画像診断機器用マットにおいて、脱着部材と接する面の凹みの底面の部分を脱着部材とは粗さの異なる材料に変えたものである。そこで、以下では凹み部分の構成を主に説明する。以下の説明では図１と同一の符号の部材は特に説明のない限り同一の構成を有するものとする。
【００４２】
本実施形態に係るマット１００は、脱着部材１０１がポリウレタンで構成されている。
【００４３】
また、マット１００の脱着部材１０１を外したときの凹部の底面３００（図７のグレーで示されている部分）は、テフロン（登録商標）のシートで構成されている。そして、マット１００の底面３００以外の部分の表面はポリウレタンで構成されている。
【００４４】
ここで、同じ材料で形成された表面を合わせた場合、合わせた面が互いにかみ合ってしまい、滑りが悪くなる恐れがある。このため、マット１００の表面全体をポリウレタンで形成した場合、脱着部材１０１を引き抜くのにある程度の大きさの力が必要となる恐れがある。
【００４５】
そこで、本実施形態では、上述したように底面３００をテフロン（登録商標）としている。そして、テフロン（登録商標）はポリウレタンに比べ、表面の粗さが滑らかである。そのため、底面３００と脱着部材１０１はかみ合う度合いが軽減し、滑らかさを向上できる。これにより、本実施形態のようにマット１００を構成した場合、寝台０１０の短手方向に向かって凹部から脱着部材１０１を引き抜きやすくなる。
【００４６】
また、本実施形態では、底面３００の材料としてテフロン（登録商標）を用いたが、脱着部材１０１と底面３００とのかみ合う度合いを軽減することができれば他の材料を用いてもよい。すなわち、底面３００としては脱着部材１０１と面の粗さが異なる材料であれば他のものでもよい。例えば、脱着部材１０１をポリウレタンとした場合、ポリウレタンよりも表面の粗さの粗いナイロン（登録商標）のシートを用いてもよい。
【００４７】
また、本実施形態では凹部の底面３００の部分のみを表面の粗さの異なる他の材料にしたが、さらに脱着部材１０１を引き抜きやすくするために、凹部の脱着部材１０１と接する表面の粗さの異なる他の面も他の材料で構成してもよい。また、脱着部材１０１同士の接する面のそれぞれの材料を異ならせることで、脱着部材１０１同士の接している面の表面の粗さを異ならせてもよい。
【符号の説明】
【００４８】
０１０  医用画像診断機器用寝台
０１１  天板
０１２  脚部材
１００  マット
１０１  脱着部材
１０２  凹部
１０３  取手
２００  腹部配置部
２０１  吸排気管
【図１】
2010094495.tif 000003
【図２】
2010094495.tif 000004
【図３】
2010094495.tif 000005
【図４】
2010094495.tif 000006
【図５】
2010094495.tif 000007
【図６】
2010094495.tif 000008
【図７】
2010094495.tif 000009